(57)【要約】【課題】二重床において、最上部の床板として石材を用いた場合でも、確実に、遮音性能を確保する。【解決手段】石貼り二重床において用いられる床材１２を、基材となる、遮音性及び断熱性に優れたパーティクルボード１２Ａと、室内の床面を構成する最上部の石材１２Ｄとの間に、２枚の捨張り合板１２Ｂ，１２Ｃを介挿させた構成とするとともに、上記捨張り合板１２Ｂと捨張り合板１２Ｃ、及び、上部の捨張り合板１２Ｃと上記石材１２Ｄも目違い張りして、床材１２の剛性を高めるようにした。【選択図】        図１
2004232314.tif 000002
【特許請求の範囲】
【請求項１】
基礎床上に床支持具を複数個配置し、これらの床支持具上に、基材とこの基材上に取付けられた複数の床板とから成る床材を配置するとともに、上記床板の内、最上部の床板に石材を用いた石貼り二重床において、上記床材と壁面との間、及び、上記床材と幅木との間にそれぞれ所定の隙間を設けるとともに、上記石材と上記基材との間に、目違い張りした、少なくとも２枚の床板を介挿させたことを特徴とする石貼り二重床。
【請求項２】
上記石材と、上記石材直下の床板とを接着したことを特徴とする請求項１に記載の石貼り二重床。
【発明の詳細な説明】
【０００１】
【発明の属する技術分野】
本発明は、基礎床上に床支持具を複数個配置し、これらの床支持具上に、基材とこの基材上に取付けられた複数の床板とから成る床材を配置して成る二重床に関するもので、特に、最上部の床板に石材を用いた石貼り二重床に関する。
【０００２】
【従来の技術】
近年、集合住宅等の各種建造物においては、基礎床上に床支持具を複数個配置し、これらの床支持具上に複数の床材を積層して成る二重床構造が多く採用されている。このとき、床材に衝撃が加わった際に発生する振動を低減するため、例えば、図６に示すような、床スラブ１０上にクッション性を有する防振材を備えた複数の床支持具１１を配置し、その上にパーティクルボードなどの基材５２Ａとこの基材５２Ａ上に複数の床板５２Ｂ，５２Ｃを積層した床材５２を配置するとともに、壁１３側に位置する床材５２の端部５２ｐを、壁１３の表面から２ｍｍ以上離した位置に設置された、際根太１４といわれる支持部材により支持して、壁際に家具等の重量物が設置された場合でも、床材５２の端部５２ｐが沈み込まないようにしている。なお、上記際根太１４は、支柱１４ａと台座１４ｂとを介して床スラブ１０に接地される。
上記床支持具１１は、詳細には、上部に床材５２を取付けるための矩形状の台座１１ａを有する支柱１１ｂと、この支柱１１ｂの下部を支持し、上記床スラブ１０面に接地する、ゴム等より成る防振材１１ｃとから成り、床衝撃音等の上記床材５２からの振動が、床スラブ１０を介して階下に伝達されるのを防止する。
一方、際根太１４は、通常、木材から成り、クッション性を有していないので、上記床材５２からの振動（固体伝播音）が壁１３を介して階下に伝達されるのを防止するためと、上記床材５２の振動に起因する二重床下の空気共振音の発生を防止するために、図７（ａ）に示すように、床材５２と壁１３との間に２ｍｍ程度の空気連通路（隙間）１３ｓが設けられている。
また、部屋の隅に当たる壁１３の表面の上記床材５２の直上には、壁１３の表面に沿って幅木１５が取付けられるが、この幅木１５を取付ける際にも、床材５２と幅木１５との間にも２ｍｍ程度の隙間１５ｓを設けるようにしている。
【０００３】
また、間仕切壁１６が設けられている場合には、図７（ｂ）に示すように、最表面の床板５２Ｃの端部５２ｑと間仕切壁１６との間、及び、上記間仕切壁１６面の上記床板５２Ｃの直上に取付けられた幅木１７と上記床板５２Ｃとの間に、２ｍｍ程度の隙間１６ｓ，１７ｓをそれぞれ設けるようにしている。
上記間仕切壁１６は、上階スラブ１８側に断面がコの字状に形成された天井側ランナー１６ａを取付け、床材５２側にも断面がコの字状の床側ランナー１６ｂを取付け、上記ランナー１６ａ，１６ｂの凹部間に下地柱としての間柱１６ｃを固定するとともに、上記間柱１６ｃの表面に石膏ボード等の壁材１６ｄを貼り付けることにより構築される。このとき、遮音性能を向上させるため、上記床側ランナー１６ｂの凹部内底部にゴム等のクッション材１６ｋを敷き詰めるとともに、上記間柱１６ｃ及び壁材１６ｄの下端側は上記床側ランナー１６ｂに固定しないようにする。これにより、上記間仕切壁１６は、天井側ランナー１６ａを介して、上階スラブ１８に吊られている状態となるので、上階からの振動の伝播を低減することができる。
なお、上記図５において、１９は野縁２０に取付けられた、天井仕上げボードなどの天井材で、上記野縁２０は、野縁受け２１及び野縁受け取付金具２３を介して、上階スラブ１８に取付けられる（例えば、特許文献１，２参照）。
【０００４】
【特許文献１】
特開２０００−１０４３９３号公報  （ｐ３，４、第４図）
【特許文献２】
特開２００２−１０６０８８号公報  （ｐ３，４、第１図）
【０００５】
【発明が解決しようとする課題】
ところで、上記最上部の床板５２Ｃとしては、フローリング材が多く用いられているが、近年、大理石などの石材を用いた石貼り床の需要が増加しつつある。
しかしながら、上記最上部の床板５２Ｃとして石材を用いた場合には、床材５２の剛性が低下するため、基材５２Ａと最上部の床板５２Ｃとの間に介挿される床板５２Ｂを単に厚くしただけでは、衝撃音によっては、石割れが生じてしまうなどして遮音性能を確保することができないといった問題点があった。
【０００６】
本発明は、従来の問題点に鑑みてなされたもので、最上部の床板として石材を用いた場合でも、確実に、遮音性能を確保することのできる石貼り二重床を提供することを目的とする。
【０００７】
【課題を解決するための手段】
本発明の請求項１に記載の発明は、基礎床上に床支持具を複数個配置し、これらの床支持具上に、基材とこの基材上に取付けられた複数の床板とから成る床材を配置するとともに、上記床板の内、最上部の床板に石材を用いた石貼り二重床において、上記床材と壁面との間、及び、上記床材と幅木との間にそれぞれ所定の隙間を設けるとともに、上記石材と上記基材との間に、目違い張りした、少なくとも２枚の床板を介挿させたことを特徴とするものである。これにより、床材の衝撃音に対する剛性を向上させることができるので、最上部の床板に石材を用いた場合でも、石割れもなく、遮音性能を十分に確保することが可能となる。
【０００８】
請求項２に記載の発明は、請求項１に記載の石貼り二重床において、石材と上記石材直下の床板とを接着して、床材の音に対する剛性を更に向上させるようにしたものである。
【０００９】
【発明の実施の形態】
以下、本発明の実施の形態について、図面に基づき説明する。
図１は、本発明の一実施の形態を示す図で、同図において、１０は基礎床である床スラブ、１１は上部に床材１２を取付けるための矩形状の台座１１ａを有する支柱１１ｂと、この支柱１１ｂをスラブ１０上に保持するクッション性を有する防振材１１ｃとを備え、上記床スラブ１０に接地される床支持具、１２は上記床支持具１１に取付けられた、パーティクルボード１２Ａと、捨張り合板１２Ｂ，１２Ｃ及び大理石等の石材１２Ｄとを順に積層して成る床材、１３は壁、１４は支柱１４ａと台座１４ｂとを介して上記床スラブ１０に接地され、かつ、壁１３表面から２ｍｍ以上離した位置に設置された、上記床材１２の端部１２ｐを支持する際根太、１５は上記壁１３表面の上記床材１２の直上に、上記壁１３に沿って取付けられる幅木、１６は間仕切壁、１７はこの間仕切壁１６に取付けられる幅木である。
上記二重床を施工する際には、上記従来例と同様に、床材１２の最表面に位置する石材１２Ｄの壁１３側の端部１２ｐと壁１３との間、及び、上記石材１２Ｄと幅木１５との間に、２ｍｍ前後の隙間を設けるとともに、間仕切壁１６と上記石材１２Ｄの端部１２ｑとの間、及び、上記石材１２Ｄと幅木１７との間にも２ｍｍ前後の隙間を設ける。なお、他の、上記図５に示した従来例と同一構成部分については同一符号を付し、その説明を省略する。
【００１０】
本例では、上記のように、床材１２を、基材となる、遮音性及び断熱性に優れたパーティクルボード１２Ａと、室内の床面を構成する最上部の石材１２Ｄとの間に、２枚の捨張り合板１２Ｂ，１２Ｃを介挿させた構成とするとともに、図２（ａ），（ｂ）に示すように、捨張り合板１２Ｂと捨張り合板１２Ｃを目違い張りし、上記捨張り合板１２Ｂ，１２Ｂ同士の接合部１２ｓと捨張り合板１２Ｃ，１２Ｃ同士の接合部１２ｋとが重ならないように上記捨張り合板１２Ｂ，１２Ｃを配置するとともに、上部の捨張り合板１２Ｃと上記石材１２Ｄも目違い張りすることにより、床材１２の剛性を高めるようにしている。なお、石材１２Ｄの接合部１２ｇと下部の捨張り合板１２Ｂの接合部１２ｋの位置は同じあっても特に問題はない。
これにより、衝撃音が分散されるので、遮音性が高まるとともに、床材１２の音に対する剛性が向上するので、石割れの発生を確実に防止することができる。
また、本例では、上記石材１２Ｄを上部の捨張り合板１２Ｃに接着するようにしている。これにより、上記石材１２Ｄに衝撃が加わった場合には、上記石材１２Ｄと上部の捨張り合板１２Ｃとは一体に振動するので、床材１２の剛性を更に向上させることができる。
【００１１】
このように本実施の形態では、石貼り二重床において用いられる床材１２を、基材となる、遮音性及び断熱性に優れたパーティクルボード１２Ａと、室内の床面を構成する最上部の石材１２Ｄとの間に、２枚の捨張り合板１２Ｂ，１２Ｃを介挿させた構成とするとともに、上記捨張り合板１２Ｂと捨張り合板１２Ｃ、及び、上部の捨張り合板１２Ｃと上記石材１２Ｄも目違い張りして、床材１２の音に対する剛性を高めるようにしたので、石貼り二重床の遮音性能を十分に確保することができる。
【００１２】
なお、上記実施の形態では、パーティクルボード１２Ａと石材１２Ｄとの間に２枚の捨張り合板１２Ｂ，１２Ｃを介挿した構成としたが、介挿される捨張り合板の枚数はこれに限るものではなく、部屋の広さ等によっては３枚以上としてもよい。
【００１３】
＜実施例＞
以下、本願の効果を実証した実験結果を述べる。
図３（ａ）は、本実験に使用した床衝撃音レベル測定システムの概要を示す図で、Ｈは重量衝撃音レベル測定のための衝撃音発生源としてのバングマシーン（タイヤによる打撃装置）、Ｔは軽量衝撃音レベル測定のための衝撃音発生源としてのタッピングマシーン、Ｄは当該室３０の階下の部屋３１において床衝撃音レベルを測定する測定器、Ｐはデータを処理するコンピュータ、Ｒはレコーダである。なお、測定は、ＪＩＳ−Ａ−１４１８による方法で行った。
本測定においては、被検体となる床材して、図３（ｂ）に示すような、厚さ２５ｍｍのパーティクルボードと、厚さ１２ｍｍの２枚の捨張り合板と、厚さ２０ｍｍの大理石から成る石材とを積層した床材１２を用い、これを床スラブ１０に接地された床支持具１１及び際根太１４により支持した構成とした。なお、実験においては、上記床スラブ（ＲＣ）の厚さを１５０ｍｍとした。
また、比較のため、被検体が床スラブ素面であるもの（比較例１）、石材を置かなかったもの（比較例２）、及び、最上部の板材としてフローリングを用いたもの（比較例３）についても同様の実験を行った。なお、捨張り合板が１枚のものは石割れが生じたため、衝撃音レベル測定は行わなかった。
【００１４】
図４は、重量床衝撃音レベルの測定結果を示すグラフ、図５は、軽量床衝撃音レベルの測定結果を示すグラフで、それぞれ、横軸は衝撃音のオクターブバンド中心周波数（Ｈｚ）、縦軸は床衝撃音レベル（ｄＢ）を示す。各図に記載のＬ値曲線（Ｌ−３０〜Ｌ−８０）のＬ値は、建築学会基準による防音性能の等級を示すもので、Ｌ値が４５までは特級、５０が１級、５５が２級、６０が３級、７５になると等級外である。このＬ値曲線は、低周波域と高周波域での聴覚上の違いを補正するための曲線であり、低周波域では聴感が鈍いために性能基準が緩くなるように、また、高周波域では聴感が鋭いために性能基準が厳しくなるように設定されている性能判断基準で、Ｌ値が小さいほど防音性能が優れている。
本発明による床材１２は、図４の重量床衝撃音レベル測定においては、低周波域だけでなく、高周波域においても床衝撃音レベルが低く、フローリングを用いたもの（比較例３）よりも更に優れた遮音性能を示すことが確認された。
また、図５の軽量床衝撃音レベル測定においては、１ｋＨｚ以上の高周波域においては、石材を置かなかったもの（比較例２）やフローリングを用いたもの（比較例３）よりも床衝撃音レベルが若干高いものの、低周波域では遮音性能が大幅に改善されており、特に、Ｌ値の最大値を示すＬＨは、上記比較例１〜４のいずれのものよりも低く、優れた遮音性能を示すことが確認された。
したがって、石材と基材（パーティクルボード）との間に、目違い張りした、少なくとも２枚の床板を介挿させることにより、最上部の床板に石材を用いた場合でも、遮音性能を十分に確保することできることが確認された。
【００１５】
【発明の効果】
以上説明したように、本発明によれば、基礎床上に床支持具を複数個配置し、これらの床支持具上に、基材とこの基材上に取付けられた複数の床板とから成る床材を配置するとともに、上記床板の内、最上部の床板に石材を用いた石貼り二重床において、上記床材と壁面との間、及び、上記床材と幅木との間にそれぞれ所定の隙間を設けるとともに、上記石材と上記基材との間に、目違い張りした、少なくとも２枚の床板を介挿させるようにしたので、最上部の床板に石材を用いた場合でも、床材の音に対する剛性を向上させることができるので、石割れもなく、遮音性能を十分に確保することができる。
また、上記床板を目違い張りしたり、石材と上記石材直下の床板とを接着するようにすれば、床材の剛性を更に向上させることができる。
【図面の簡単な説明】
【図１】本発明の実施の形態に係る二重床構造を示す断面図である。
【図２】本実施の形態に係る床板の積層方法を示す図である。
【図３】床衝撃音レベルの測定方法を示す図である。
【図４】重量床衝撃音レベルの測定結果を示すグラフである。
【図５】軽量床衝撃音レベルの測定結果を示すグラフである。
【図６】従来の二重床構造を示す断面図である。
【図７】二重床構造における空気連通路の拡大図である。
【符号の説明】
１０  床スラブ、１１  床支持具、１１ａ  台座、１１ｂ  支柱、
１１ｃ  防振材、１２  床材、１２Ａ  パーティクルボード、
１２Ｂ，１２Ｃ  捨張り合板、１２Ｄ  石材、１２ｐ，１２ｑ  床材の端部、
１３  壁、１４  際根太、１４ａ  際根太の支柱、１４ｂ  際根太の台座、
１５，１７  幅木、１６  間仕切壁、１６ｋ  クッション材、１８  上階スラブ、１９  天井材、２０  野縁、２１  野縁受け、２２  野縁受け取付金具。
【図１】
2004232314.tif 000003
【図２】
2004232314.tif 000004
【図３】
2004232314.tif 000005
【図４】
2004232314.tif 000006
【図５】
2004232314.tif 000007
【図６】
2004232314.tif 000008
【図７】
2004232314.tif 000009